(57)【要約】【課題】ワイヤ固定部の形状自由度や配置自由度をより向上させつつ、パネル部材にワイヤの影が映ってしまうのを抑制することのできる照明装置を得る。【解決手段】照明装置２０のワイヤ４０は、壁部２２に形成された挿通孔２４ｂに挿通された状態で、一端側４１が一端側取付部３２ｄに取り付けられるとともに、他端側４２が他端側取付部５２ａに取り付けられている。また、ばね部５２は、他端側取付部５２ａが開口部２２ａに近くなる一側から他端側取付部５２ａが開口部２２ａから遠くなる他側まで、所定の範囲で移動できるように形成されるとともに、一側に位置する状態で他側に向けて付勢されている。そして、ワイヤ４０の一端側取付部３２ｄから他端側取付部５２ａまでの長さを、パネル部材３０をケース２１に装着した状態で当該ワイヤ４０の一部が照射領域Ｒ１内に入り込まない長さとなるように設定した。【選択図】図６
2017162743.tif 000002
【特許請求の範囲】
【請求項１】
一側に開口部が形成された空間部を有するケースと、
光源を有し、前記空間部内に収容固定される照明部材と、
前記ケースに着脱自在に装着されるとともに、前記ケースに装着した状態で前記開口部を覆うパネル部材と、
前記パネル部材に形成された一端側取付部に一端側が取り付けられるワイヤと、
前記ワイヤの他端側が取り付けられる他端側取付部が形成されたばね部を有するワイヤ固定部と、
を備え、
前記ケースは、前記空間部を画成する壁部を有しており、
前記ワイヤ固定部は、前記壁部の外側に配置されており、
前記空間部は、前記光源からの光が照射される照射領域と、前記光源からの光が照射されない非照射領域と、に区画されており、
前記一端側取付部は、前記パネル部材を前記ケースに装着した状態で、前記非照射領域内に存在しており、
前記ワイヤは、前記壁部に形成された挿通孔に挿通された状態で、一端側が前記一端側取付部に取り付けられるとともに、他端側が前記他端側取付部に取り付けられており、
前記ばね部は、前記他端側取付部が前記開口部に近くなる一側から前記他端側取付部が前記開口部から遠くなる他側まで、所定の範囲で移動できるように形成されるとともに、前記一側に位置する状態で前記他側に向けて付勢されており、
前記ワイヤの前記一端側取付部から前記他端側取付部までの長さは、前記パネル部材を前記ケースに装着した状態で当該ワイヤの一部が前記照射領域内に入り込まない長さに設定されていることを特徴とする照明装置。
【請求項２】
前記パネル部材を前記ケースに装着した状態で前記一端側取付部が配置される部位を第１の点Ｐ１とし、
前記ばね部の自由状態において前記他端側取付部が配置される部位を第２の点Ｐ２とし、
前記照射領域と前記非照射領域との境界における前記第１の点Ｐ１からの距離が最短となる点を最短点Ｐ３とし、
前記第１の点Ｐ１との中点が前記最短点Ｐ３となる点を対称点Ｐ４とし、
前記挿通孔内の点のうち、前記第２の点Ｐ２までの距離と前記対称点Ｐ４までの距離との和が最小となる点を最小点Ｐ５とし、
前記最小点Ｐ５から前記第２の点Ｐ２までの距離を長さＬ１、前記最小点Ｐ５から前記対称点Ｐ４までの距離を長さＬ２とし、
前記長さＬ１と前記長さＬ２との和を最短長さＬ３とした場合に、
前記ワイヤの前記一端側取付部から前記他端側取付部までの長さは、最短長さＬ３以下となるように設定されていることを特徴とする請求項１に記載の照明装置。
【請求項３】
前記ワイヤの前記一端側取付部から前記他端側取付部までの長さが、前記第２の点Ｐ２と前記対称点Ｐ４とを結ぶ線分の長さ以下となるように設定されていることを特徴とする請求項２に記載の照明装置。
【請求項４】
前記パネル部材を前記ケースに装着した状態で前記ワイヤに張力が生じるようにしたことを特徴する請求項１〜３のうちいずれか１項に記載の照明装置。
【請求項５】
前記壁部には、前記ばね部の前記一側への移動を規制するストッパ部が形成されていることを特徴とする請求項１〜４のうちいずれか１項に記載の照明装置。
【請求項６】
前記壁部が前記ストッパ部を兼ねていることを特徴とする請求項５に記載の照明装置。
【発明の詳細な説明】
【技術分野】
【０００１】
本発明は、照明装置に関する。
【背景技術】
【０００２】
従来、照明装置として、光源を有する照明部材と、照明部材が収容固定されるケースと、ケースに着脱自在に取り付けられてケースの開口を覆うパネル部材と、を備えるものが知られている（例えば、特許文献１参照）。
【０００３】
この特許文献１では、ワイヤをパネル部材に取り付け、取り外したパネル部材がケースから離間した状態で吊り下げられるようにすることで、パネル部材を床面上に置くことなく、照明部材の交換や、保守、点検等の作業を行えるようにしている。
【０００４】
さらに、この特許文献１では、ワイヤの他端が固定されるワイヤ固定部をケース内に設けている。そして、ケースにパネル部材を取り付けた際には、このワイヤ固定部によってワイヤがケース側に引き込まれるようにしている。そして、ワイヤをケース側に引き込むことで、照明装置の通常の使用時に、パネル部材にワイヤの影が映ってしまうのを抑制できるようにしている。
【先行技術文献】
【特許文献】
【０００５】
【特許文献１】特開平０９−２３１８２４号公報
【発明の概要】
【発明が解決しようとする課題】
【０００６】
しかしながら、上記従来の技術では、ケース内に形成される隙間（ケース本体と反射板との間の隙間）にワイヤ固定部を設けているため、ワイヤ固定部の形状や設置場所等が制限されてしまう。
【０００７】
そこで、本開示は、ワイヤ固定部の形状自由度や配置自由度をより向上させつつ、パネル部材にワイヤの影が映ってしまうのを抑制することのできる照明装置を得ることを目的とする。
【課題を解決するための手段】
【０００８】
本開示にかかる照明装置は、一側に開口部が形成された空間部を有するケースと、光源を有し、前記空間部内に収容固定される照明部材と、前記ケースに着脱自在に装着されるとともに、前記ケースに装着した状態で前記開口部を覆うパネル部材と、を備えている。
【０００９】
さらに、照明装置は、前記パネル部材に形成された一端側取付部に一端側が取り付けられるワイヤと、前記ワイヤの他端側が取り付けられる他端側取付部が形成されたばね部を有し、前記壁部の外側に配置されるワイヤ固定部と、を備えている。
【００１０】
また、前記ケースは、前記空間部を画成する壁部を有しており、前記空間部は、前記光源からの光が照射される照射領域と、前記光源からの光が照射されない非照射領域と、に区画されている。
【００１１】
また、前記一端側取付部は、前記パネル部材を前記ケースに装着した状態で、前記非照射領域内に存在している。
【００１２】
また、前記ワイヤは、前記壁部に形成された挿通孔に挿通された状態で、一端側が前記一端側取付部に取り付けられるとともに、他端側が前記他端側取付部に取り付けられている。
【００１３】
また、前記ばね部は、前記他端側取付部が前記開口部に近くなる一側から前記他端側取付部が前記開口部から遠くなる他側まで、所定の範囲で移動できるように形成されるとともに、前記一側に位置する状態で前記他側に向けて付勢されている。
【００１４】
そして、前記ワイヤの前記一端側取付部から前記他端側取付部までの長さは、前記パネル部材を前記ケースに装着した状態で当該ワイヤの一部が前記照射領域内に入り込まない長さに設定されている。
【発明の効果】
【００１５】
本開示によれば、ワイヤ固定部の形状自由度や配置自由度をより向上させつつ、パネル部材にワイヤの影が映ってしまうのを抑制することのできる照明装置を得ることができる。
【図面の簡単な説明】
【００１６】
【図１】第１実施形態にかかる照明装置が天井に埋め込み固定されている状態を示す図であって、（ａ）は、照明装置が天井に埋め込み固定されている状態を模式的に示す斜視図、（ｂ）は、天井に埋め込み固定されている照明装置のパネル部材を外した状態を模式的に示す斜視図である。
【図２】第１実施形態にかかる照明装置が天井に埋め込み固定されている状態を示す断面図である。
【図３】第１実施形態にかかる照明装置のワイヤとばね部との関係を示す断面図である。
【図４】第１実施形態にかかる照明装置のばね部をケースの外側からみた状態を示す側面図である。
【図５】第１実施形態にかかる照明装置のケース本体の開口部をパネル部で覆った状態を示す断面図である。
【図６】第１実施形態にかかる照明装置のケース本体からパネル部を取り外した状態を示す断面図である。
【図７】第１実施形態にかかる照明装置のワイヤの長さの設定方法の一例を説明する図である。
【図８】第２実施形態にかかる照明装置のワイヤとばね部との関係を示す断面図である。
【図９】第２実施形態にかかる照明装置のばね部をケースの外側からみた状態を示す平面図である。
【図１０】第２実施形態にかかる照明装置のワイヤの長さの設定方法の一例を説明する図である。
【発明を実施するための形態】
【００１７】
以下、本実施にかかる照明装置について、図面を参照しながら説明する。なお、以下では、壁部としての天井に形成された埋め込み穴に埋め込まれた状態で取り付けられる照明装置（天井埋め込み型の照明装置）を例示する。
【００１８】
（第１実施形態）
本実施形態にかかる照明装置２０は、図１および図２に示すように、例えば鉄などの金属で形成されたケース２１を備えており、このケース２１内に照明部材２６が収容保持されている。
【００１９】
ケース２１は、ケース本体（壁部）２２を備えており、このケース本体２２は、奥壁２３と奥壁２３の周囲から立説された側壁２４とで一端が開口した箱状に形成されている。
【００２０】
ケース本体２２には、一端（一側：下側）に開口部２２ａを有する空間部２２ｂが形成されており、この空間部２２ｂ内に、照明部材２６が収容保持されている。なお、本実施形態では、直方体状に形成されたケース本体２２を例示しているが、ケース本体の形状はこれに限られるものではなく、様々な形状とすることができる。
【００２１】
また、ケース本体２２の開口部２２ａ側、すなわち、側壁２４の開口部２２ａ側の先端には、フランジ部２５が外方に延在するように形成されている。さらに、奥壁２３の中央部には、挿通孔２３ａが奥壁２３を厚さ方向に貫通するように形成されている。この挿通孔２３ａは、丸孔であってもよいし長孔であってもよい。
【００２２】
一方、天井１０には、室内側に開口部１４ａが形成された埋め込み空間１４が形成されており、この埋め込み空間１４にケース本体２２が収容されている。
【００２３】
具体的には、天井１０は、図２に示すように、基部１１と、基部１１から離間するように配置された天井壁１２と、を備えており、基部１１と天井壁１２との間には、配線等を配置することが可能な天井空間１３が形成されている。
【００２４】
そして、天井壁１２にケース本体２２の幅寸法および長さ寸法に対応した開口部１２ａを形成することで、開口部１４ａを有し、ケース２１のケース本体２２を収容可能な埋め込み空間１４を形成している。このような埋め込み空間１４にケース本体２２を収容させると、フランジ部２５が天井壁１２の壁面（壁部の表面）１２ｂに当接することとなる。
【００２５】
なお、天井空間が形成されていない天井壁に埋め込み空間を形成することも可能である。
【００２６】
また、基部１１には、雄ネジ部１５ｂを有するボルト１５が下方に向けて突出するように固定されている。
【００２７】
本実施形態では、ボルト１５は、ケース本体２２を埋め込み空間１４に収容してフランジ部２５を天井壁１２の壁面１２ｂに当接させた状態で、先端１５ａが挿通孔２３ａを通過してケース本体２２の空間部２２ｂ内に突出するように、基部１１に設けられている。
【００２８】
そして、ケース本体２２の空間部２２ｂ内に突出した先端１５ａにナット１６を締結することで、ケース本体２２（ケース２１）が、天井１０に形成された埋め込み空間１４内に収容固定されている。なお、ケース本体２２の挿通孔２３ａの周囲には、ケース本体２２が変形してしまうのを抑制する補強板２７が設けられている。本実施形態では、略Ｕ字状の補強板２７を空間部２２ｂ内で奥壁２３に取り付けている。しかしながら、補強板の形状はこれに限られるものではない。また、補強板を取り付ける部位も適宜設定することができる。
【００２９】
このように、ケース２１は、開口部２２ａを有する空間部２２ｂが形成されるとともに、空間部２２ｂと外部とを連通してボルト１５が挿通される挿通孔２３ａが形成され、天井１０に形成された埋め込み空間１４内に収容されるケース本体２２を備えている。
【００３０】
また、ケース２１は、ケース本体２２の開口部２２ａ側に形成され、ケース本体２２を埋め込み空間１４内に収容した状態で天井壁１２の壁面（壁部の表面）１２ｂに当接するフランジ部２５を備えている。
【００３１】
そして、ケース本体２２の空間部２２ｂ内には、上述したように、照明部材２６が収容保持されている。この照明部材２６としては様々な種類の照明部材を用いることができ、本実施形態では、光源２６ａと、光源２６ａから出射された光を反射する反射板２６ｂと、を備えるものを例示している。
【００３２】
また、光源２６ａとしても、様々な種類の光源を用いることができ、本実施形態では、図１（ｂ）に示すように、直管形のランプを例示している。また、直管形のランプとしては、例えば、青色光を発するＬＥＤと、黄色の蛍光を発する蛍光体とを用いて、高輝度の白色光を出射するものを用いることができる。
【００３３】
そして、この光源２６ａは、ブラケット２６ｄを介してケース本体２２に固定されたソケット２６ｃに取り付けられている。
【００３４】
さらに、ケース本体（壁部）２２に形成された開口部２２ａが、光源２６ａから出射した光を透過可能なパネル部材３０によって閉塞されるようにしている。
【００３５】
本実施形態では、パネル部材３０をケース２１に着脱自在に装着させるようにしており、パネル部材３０をケース２１に装着させた状態で、ケース本体（壁部）２２の開口部２２ａがパネル部材３０によって覆われるようにしている。
【００３６】
このパネル部材３０は、光源２６ａから照射された光を透過させて外部に照射するパネル本体３１と、パネル本体３１の外周部３１ａを挟持する枠部３２と、を備えている。
【００３７】
パネル本体３１は、開口部２２ａよりも一回り小さい長方形状の透明な平板であり、ガラス、樹脂材料等を用いて形成されている。
【００３８】
一方、枠部３２は、パネル本体３１を支持するとともに、パネル部材３０をケース２１に装着した状態でケース本体２２の内側に配置される枠部本体３２ａを備えている。そして、この枠部本体３２ａの内周側には、パネル本体３１の外周部３１ａが嵌め込まれる溝部３２ｂが形成されている。
【００３９】
また、枠部３２は、枠部本体３２ａに連設され、埋め込み空間１４内に収容されたケース２１にパネル部材３０を装着させた状態で、ケース２１のフランジ部２５を下側から覆いつつ天井壁１２の壁面（壁部の表面）１２ｂに当接するフランジ部３２ｃを備えている。
【００４０】
そして、天井１０に形成された埋め込み空間１４内にケース本体２２（ケース２１）を収容固定し、照明部材２６をケース本体２２の空間部２２ｂ内に収容保持した状態で、パネル部材３０をケース２１に装着させることで、天井１０に埋め込み固定された照明装置２０が形成されている。
【００４１】
なお、本実施形態では、ケース本体２２の空間部２２ｂは、図３に示すように、光源２６ａからの光が照射される照射領域Ｒ１と、光源２６ａからの光が照射されない非照射領域Ｒ２と、に区画されている。
【００４２】
ここで、本実施形態では、パネル部材３０をケース２１から取り外した際に、取り外したパネル部材３０がワイヤ４０によってケース２１から離間した状態で吊り下げられるようにしている。
【００４３】
具体的には、図３に示すように、ワイヤ４０の一端側４１をパネル部材３０の枠部３２に形成された一端側取付部３２ｄに固定している。この一端側取付部３２ｄは、パネル部材３０をケース２１に装着した状態で非照射領域Ｒ２内に存在するように形成されている。すなわち、パネル部材３０をケース２１に装着した状態で非照射領域Ｒ２内に位置する枠部本体３２ａの奥端（上端）３２ｅに、一端側取付部３２ｄを形成している。
【００４４】
一方、ワイヤ４０の他端側４２は、ケース２１に取り付けられたワイヤ固定部材（ワイヤ固定部）５０に形成された他端側取付部５２ａに固定されている。
【００４５】
なお、ワイヤ４０は、様々な方法で一端側取付部３２ｄや他端側取付部５２ａに取り付けることができる。例えば、取付部（一端側取付部３２ｄや他端側取付部５２ａ）としての挿通孔にワイヤを挿通させて結びつけるようにすることも可能であるし、取付部（一端側取付部３２ｄや他端側取付部５２ａ）にフック部材を設け、当該フック部材にワイヤ４０の端部（一端側４１や他端側４２）を係合させるようにすることも可能である。
【００４６】
また、本実施形態では、ワイヤ固定部材５０として、ケース本体（壁部）２２に固定される固定部本体５１と、固定部本体５１に相対回動可能に連設されたばね部５２と、を有する板ばねを用いている。
【００４７】
さらに、本実施形態では、このワイヤ固定部材５０がケース本体（壁部）２２の外側に配置されるようにしている。
【００４８】
具体的には、図３に示すように、固定部本体５１を奥壁２３の外面（上面）２３ｂに固定している。本実施形態では、固定部本体５１の奥壁２３の外面（上面）２３ｂへの固定は、ボルト５３およびナット５４によって行われている。なお、固定部本体５１の奥壁２３の外面（上面）２３ｂへの固定は、溶接等の他の方法により行うことも可能である。
【００４９】
さらに、本実施形態では、ばね部５２が側壁２４の外方に位置するようにした状態で、固定部本体５１が奥壁２３の外面（上面）２３ｂに固定されるようにしている。
【００５０】
具体的には、ばね部５２の固定部本体５１との連結部５２ｂを、側壁２４の奥壁２３との連結部２４ａに略一致させた状態で、固定部本体５１を奥壁２３の外面（上面）２３ｂに固定している。
【００５１】
こうすることで、側壁２４の外側において、ばね部５２が、連結部５２ｂを基点として、他端側取付部５２ａが開口部２２ａに近くなる一側から他端側取付部５２ａが開口部２２ａから遠くなる他側まで、所定の範囲で回動（移動）できるようにしている。
【００５２】
本実施形態では、ばね部５２は、図３に示すように、他端側取付部５２ａが開口部２２ａに近くなる一側であるａの位置から他端側取付部５２ａが開口部２２ａから遠くなる他側であるｂの位置までの範囲で回動できるようにしている。
【００５３】
そして、このばね部５２は、一側であるａ地点にある状態では、他側であるｂ地点に向けて回動（移動）するように付勢されている。すなわち、ばね部５２が、一側（ａ地点）に位置する状態で他側（ｂ地点）に向けて付勢されるようにしている。
【００５４】
なお、本実施形態では、ばね部５２は、自然状態では、他側（ｂ地点）に位置するようになっている。すなわち、ばね部５２が他側（ｂ地点）に位置している状態が、ばね部５２の自由状態（ばね部５２に外力が加えられていない状態）となっている。
【００５５】
一方、一側（ａ地点）に向けての回動は、ばね部５２が側壁２４に当接することで規制されるようになっている。
【００５６】
このように、本実施形態では、側壁２４（壁部２２）を、ばね部５２の一側への回動（移動）を規制するストッパ部として機能させている。
【００５７】
なお、側壁２４（壁部２２）とは別にストッパ部を設け、このストッパ部によってばね部５２の一側への回動（移動）を規制するようにしてもよい。
【００５８】
また、ワイヤ４０は、上述したように、一端側４１が空間部２２ｂ内に存在可能な一端側取付部３２ｄに固定されるようになっており、他端側４２がケース２１の外側に配置された他端側取付部５２ａに固定されるようになっている。
【００５９】
そのため、本実施形態では、側壁２４に挿通孔２４ｂを形成し、ワイヤ４０を挿通孔２４ｂに挿通した状態で、一端側４１を一端側取付部３２ｄに固定するとともに、他端側４２を他端側取付部５２ａに固定するようにしている。
【００６０】
挿通孔２４ｂは、図４に示すように、上下方向に細長い長穴となるように形成されており、ばね部５２を一側（ａ地点）に位置させた状態で他端側取付部５２ａが挿通孔２４ｂに臨むようにしている。また、図３に示すように、下端（開口部２２ａ側の端部）２４ｃが一端側取付部３２ｄの近傍に位置するように挿通孔２４ｂを形成している。
【００６１】
こうすることで、ばね部５２の回動により移動するワイヤ４０が挿通孔２４ｂの周縁部に当接して擦れてしまうのが抑制されるようにし、ばね部５２の回動に伴ってワイヤ４０をよりスムーズに移動させることができるようにしている。
【００６２】
ここで、本実施形態では、ワイヤ４０の一端側取付部３２ｄから他端側取付部５２ａまでの長さを、パネル部材３０をケース２１に装着した状態で当該ワイヤ４０の一部が照射領域Ｒ１内に入り込まない長さとなるように設定している。
【００６３】
具体的には、図３に示すように、ワイヤ４０の一端側取付部３２ｄから他端側取付部５２ａまでの長さが、一端側取付部３２ｄから自由状態におけるばね部５２の他端側取付部５２ａまでの長さよりも短くなるようにしている。
【００６４】
こうすれば、パネル部材３０をケース２１に装着した際に、ばね部５２が他側（ｂ地点）に向けて回動する途中で、ワイヤ４０がピンと張られて、ワイヤ４０に張力Ｔが生じることとなる。
【００６５】
すなわち、パネル部材３０をケース２１に装着した状態では、ワイヤ４０は、ばね部５２の付勢力によって引っ張られた状態（撓んでしまうのが抑制された状態）となっている。そして、かかる状態では、ワイヤ４０の全体が照射領域Ｒ１の外側に存在している。
【００６６】
このように、本実施形態では、パネル部材３０をケース２１に装着した状態で、ワイヤ４０は、撓んでしまうのが抑制された状態で照射領域Ｒ１の外側に配置されるようにしている。
【００６７】
こうすれば、ワイヤ４０の一部が照射領域Ｒ１内に入り込んでしまうのを抑制できるようになる。
【００６８】
かかる構成とすることで、ケース２１に装着されたパネル部材３０をケース２１から取り外すと、パネル部材３０の自重による力等がワイヤ４０を介してばね部５２に加えられ、ばね部５２が付勢力に抗して一側（ａ地点）に向けて回動する。
【００６９】
このように、ばね部５２が一側（ａ地点）に向けて回動すると、この回動に伴って、ワイヤ４０の挿通孔２４ｂの外側に配置されていた部分が、挿通孔２４ｂを通って空間部２２ｂ側に移動する。
【００７０】
このばね部５２の回動は、ばね部５２が側壁２４に当接するまで行われ、ばね部５２が側壁２４に当接した際には、他端側取付部５２ａが開口部２２ａに最も近づく（最も下側に位置する）こととなる。その結果、パネル部材３０の一端側取付部３２ｄをケース２１から下方に離間させることができるようになる。
【００７１】
こうすることで、ケース２１から取り外したパネル部材３０が、ワイヤ４０によってケース２１から離間した状態で吊り下げられることとなる（図６参照）。
【００７２】
一方、ケース２１から取り外したパネル部材３０をケース２１に装着させると、ばね部５２が当該ばね部５２の付勢力によって他側（ｂ地点）に向けて回動し、この回動に伴って、ワイヤ４０がケース２１の外方かつ上側に引っ張られる。
【００７３】
そして、ばね部５２が他側（ｂ地点）に向けて回動する途中で、ワイヤ４０がピンと張られて、ばね部５２の回動が停止する。
【００７４】
その結果、ワイヤ４０が、ばね部５２の付勢力によって張力Ｔが生じた状態で照射領域Ｒ１の外側に配置されることとなる（図５参照）。
【００７５】
なお、パネル部材３０をケース２１に装着した状態でワイヤ４０が若干撓んだとしても、ワイヤ４０の長さを適切な長さに設定すれば、ワイヤ４０の一部が照射領域Ｒ１内に入り込んでしまうのを抑制することが可能である。
【００７６】
以下では、ワイヤ４０の長さの設定方法の一例を、図７に基づき説明する。
【００７７】
まず、パネル部材３０をケース２１に装着した状態で一端側取付部３２ｄが配置される部位を第１の点Ｐ１とする。
【００７８】
また、ばね部５２の自由状態において他端側取付部５２ａが配置される部位を第２の点Ｐ２とする。
【００７９】
そして、照射領域Ｒ１と非照射領域Ｒ２との境界Ｃ１における第１の点Ｐ１からの距離が最短となる点を最短点Ｐ３とする。
【００８０】
また、第１の点Ｐ１との中点が最短点Ｐ３となる点を対称点Ｐ４とする。
【００８１】
そして、挿通孔２４ｂ内の点のうち、第２の点Ｐ２までの距離と対称点Ｐ４までの距離との和が最小となる点を最小点Ｐ５とする。
【００８２】
さらに、最小点Ｐ５から第２の点Ｐ２までの距離を長さＬ１、最小点Ｐ５から対称点Ｐ４までの距離を長さＬ２とし、長さＬ１と長さＬ２との和を最短長さＬ３とする。
【００８３】
そして、ワイヤ４０の一端側取付部３２ｄから他端側取付部５２ａまでの長さを、上記の方法により設定された最短長さＬ３（Ｌ１＋Ｌ２）以下となるように設定する。
【００８４】
こうすれば、ばね部５２を自由状態にしたままで、ワイヤ４０を照射領域Ｒ１側に近づけたとしても、最も照射領域Ｒ１側に位置する点が、境界Ｃ１上または非照射領域Ｒ２内に存在することとなる。
【００８５】
したがって、パネル部材３０をケース２１に装着した状態で、ワイヤ４０が撓んだとしても、撓み部分が照射領域Ｒ１内に入り込んでしまうのを抑制することができる。
【００８６】
なお、パネル部材３０をケース２１に装着した状態におけるワイヤ４０が撓んだ状態とは、ばね部５２を自由状態となるまで回動させたとしても、ワイヤ４０に張力が生じない状態のことである。ここで、本実施形態では、ワイヤ４０に生じる張力Ｔとは、ワイヤ４０がピンと張られた状態で生じる張力のことであり、ワイヤ４０の自重により生じる張力を含まないものとしている。
【００８７】
また、図７では、第２の点Ｐ２と対称点Ｐ４とを結ぶ線分が挿通孔２４ｂを通過している（最小点Ｐ５が、第２の点Ｐ２と対称点Ｐ４とを結ぶ線分上に位置している）ため、第２の点Ｐ２と対称点Ｐ４とを結ぶ線分の長さが最短長さＬ３となっている。
【００８８】
以上説明したように、本実施形態の照明装置２０は、一側に開口部２２ａが形成された空間部２２ｂを有するケース２１と、光源２６ａを有し、空間部２２ｂ内に収容固定される照明部材２６と、ケース２１に着脱自在に装着されるとともに、ケース２１に装着した状態で開口部２２ａを覆うパネル部材３０と、を備えている。
【００８９】
さらに、照明装置２０は、パネル部材３０に形成された一端側取付部３２ｄに一端側４１が取り付けられるワイヤ４０と、ワイヤ４０の他端側４２が取り付けられる他端側取付部５２ａが形成されたばね部５２を有し、壁部２２の外側に配置されるワイヤ固定部材（ワイヤ固定部）５０と、を備えている。
【００９０】
また、ケース２１は、空間部２２ｂを画成するケース本体（壁部）２２を有しており、空間部２２ｂは、光源２６ａからの光が照射される照射領域Ｒ１と、光源２６ａからの光が照射されない非照射領域Ｒ２と、に区画されている。
【００９１】
また、一端側取付部３２ｄは、パネル部材３０をケース２１に装着した状態で、非照射領域Ｒ２内に存在している。
【００９２】
また、ワイヤ４０は、ケース本体（壁部）２２に形成された挿通孔２４ｂに挿通された状態で、一端側４１が一端側取付部３２ｄに取り付けられるとともに、他端側４２が他端側取付部５２ａに取り付けられている。
【００９３】
また、ばね部５２は、他端側取付部５２ａが開口部２２ａに近くなる一側から他端側取付部５２ａが開口部２２ａから遠くなる他側まで、所定の範囲で移動できるように形成されるとともに、一側に位置する状態で他側に向けて付勢されている。
【００９４】
そして、ワイヤ４０の一端側取付部３２ｄから他端側取付部５２ａまでの長さは、パネル部材３０をケース２１に装着した状態で当該ワイヤ４０の一部が照射領域Ｒ１内に入り込まない長さに設定されている。
【００９５】
こうすれば、ワイヤ固定部材５０の形状や配置場所等が制限されてしまうのが抑制されて、ワイヤ固定部材５０の形状自由度や配置自由度をより向上させることができる。さらに、ワイヤ４０の一部が照射領域Ｒ１内に入り込んでしまうのが抑制されるようにワイヤ４０の長さを設定しているため、パネル部材３０にワイヤ４０の影が映ってしまうのを抑制することもできる。
【００９６】
このワイヤ４０の長さは、最短長さＬ３以下に設定するのが好ましい。
【００９７】
こうすれば、ばね部５２を自由状態にしたままで、ワイヤ４０を照射領域Ｒ１側に近づけたとしても、最も照射領域Ｒ１側に位置する点を、境界Ｃ１上または非照射領域Ｒ２内に存在させることができる。そのため、パネル部材３０をケース２１に装着した状態で、ワイヤ４０が撓んだとしても、撓み部分が照射領域Ｒ１内に入り込んでしまうのを抑制することができるようになる。
【００９８】
また、ワイヤ４０の一端側取付部３２ｄから他端側取付部５２ａまでの長さが、第２の点Ｐ２と対称点Ｐ４とを結ぶ線分の長さ以下となるように設定するのが好ましい。
【００９９】
こうすれば、撓み部分が照射領域Ｒ１内に入り込んでしまうのをより確実に抑制することができるようになる。
【０１００】
また、パネル部材３０をケース２１に装着した状態でワイヤ４０に張力Ｔが生じるようにするのが好ましい。
【０１０１】
こうすれば、パネル部材３０をケース２１に装着した状態で、ワイヤ４０を、ばね部５２の付勢力によって引っ張られた状態（撓んでしまうのが抑制された状態）とすることができ、ワイヤ４０の一部が照射領域Ｒ１内に入り込んでしまうのをより確実に抑制することができるようになる。
【０１０２】
また、ケース本体（壁部）２２に、ばね部５２の一側への回動（移動）を規制するストッパ部（側壁２４）を形成するのが好ましい。
【０１０３】
こうすれば、パネル部材３０を吊り下げた状態におけるばね部５２の振動（往復回動）を抑制することができ、パネル部材３０をより安定した状態で吊り下げることができる。
【０１０４】
また、ケース本体（壁部）２２がストッパ部を兼ねるようにするのが好ましい。
【０１０５】
こうすれば、照明装置２０の構成の簡素化を図ることができる。
【０１０６】
また、ワイヤ固定部材（ワイヤ固定部）５０として板ばねを用いているため、かかる点からも照明装置２０の構成の簡素化を図ることができる。
【０１０７】
（第２実施形態）
本実施形態にかかる照明装置２０Ａは、基本的に上記第１実施形態で示した照明装置２０とほぼ同様の構成をしている。すなわち、照明装置２０Ａは、図８および図９に示すように、一側に開口部２２ａが形成された空間部２２ｂを有するケース２１と、光源２６ａを有し、空間部２２ｂ内に収容固定される照明部材２６と、ケース２１に着脱自在に装着されるとともに、ケース２１に装着した状態で開口部２２ａを覆うパネル部材３０と、を備えている。
【０１０８】
さらに、照明装置２０は、パネル部材３０に形成された一端側取付部３２ｄに一端側４１が取り付けられるワイヤ４０と、ワイヤ４０の他端側４２が取り付けられる他端側取付部５２ａが形成されたばね部５２を有し、壁部２２の外側に配置されるワイヤ固定部材（ワイヤ固定部）５０と、を備えている。
【０１０９】
また、ケース２１は、空間部２２ｂを画成するケース本体（壁部）２２を有しており、空間部２２ｂは、光源２６ａからの光が照射される照射領域Ｒ１と、光源２６ａからの光が照射されない非照射領域Ｒ２と、に区画されている。
【０１１０】
また、一端側取付部３２ｄは、パネル部材３０をケース２１に装着した状態で、非照射領域Ｒ２内に存在している。
【０１１１】
また、ばね部５２は、他端側取付部５２ａが開口部２２ａに近くなる一側から他端側取付部５２ａが開口部２２ａから遠くなる他側まで、所定の範囲で移動できるように形成されるとともに、一側に位置する状態で他側に向けて付勢されている。
【０１１２】
ここで、本実施形態にかかる照明装置２０Ａでは、ばね部５２が奥壁２３の上方（外方）に位置するようにした状態で、固定部本体５１が奥壁２３の外面（上面）２３ｂに固定されるようにしている。
【０１１３】
また、ワイヤ４０は、ケース本体（壁部）２２に形成された挿通孔２３ｃに挿通された状態で、一端側４１が一端側取付部３２ｄに取り付けられるとともに、他端側４２が他端側取付部５２ａに取り付けられている。
【０１１４】
そして、本実施形態においても、ワイヤ４０の一端側取付部３２ｄから他端側取付部５２ａまでの長さは、パネル部材３０をケース２１に装着した状態で当該ワイヤ４０の一部が照射領域Ｒ１内に入り込まない長さに設定されている。
【０１１５】
このワイヤ４０の一端側取付部３２ｄから他端側取付部５２ａまでの長さは、上記第１実施形態で例示した方法によって設定することができる（図１０参照）。
【０１１６】
ただし、上記第１実施形態の図７では、第２の点Ｐ２と対称点Ｐ４とを結ぶ線分が挿通孔２４ｂを通過している（最小点Ｐ５が、第２の点Ｐ２と対称点Ｐ４とを結ぶ線分上に位置している）ものを例示したが、本実施形態の図１０では、第２の点Ｐ２と対称点Ｐ４とを結ぶ線分が挿通孔２３ｃを通過しない（最小点Ｐ５が、第２の点Ｐ２と対称点Ｐ４とを結ぶ線分上に位置していない）ものを例示している。
【０１１７】
以上の本実施形態によっても、上記第１実施形態と同様の作用、効果を奏することができる。
【０１１８】
以上、本発明の好適な実施形態について説明したが、本発明は上記実施形態には限定されず、種々の変形が可能である。
【０１１９】
例えば、上記各実施形態では、天井に形成された埋め込み穴に埋め込まれた状態で取り付けられる天井埋め込み型の照明装置を例示したが、建物の側壁に形成された埋め込み穴に埋め込まれる照明装置とすることも可能である。
【０１２０】
また、ケースや光源、その他細部のスペック（形状、大きさ、レイアウト等）も適宜に変更可能である。
【符号の説明】
【０１２１】
２０，２０Ａ  照明装置
２１  ケース
２２  ケース本体（壁部）
２２ａ  開口部
２２ｂ  空間部
２３ａ  挿通孔
２４ｂ  挿通孔
２６  照明部材
２６ａ  光源
３０  パネル部材
３２ｄ  一端側取付部
４０  ワイヤ
４１  一端側
４２  他端側
５０  ワイヤ固定部材（ワイヤ固定部）
５２  ばね部
５２ａ  他端側取付部
Ｐ１  第１の点
Ｐ２  第２の点
Ｐ３  最短点
Ｐ４  対称点
Ｐ５  最小点
Ｌ１  最小点から第２の点までの距離
Ｌ２  最小点から対称点までの距離
Ｌ３  最短長さ
Ｃ１  境界
Ｒ１  照射領域
Ｒ２  非照射領域
Ｔ  張力
【図１】
2017162743.tif 000003
【図２】
2017162743.tif 000004
【図３】
2017162743.tif 000005
【図４】
2017162743.tif 000006
【図５】
2017162743.tif 000007
【図６】
2017162743.tif 000008
【図７】
2017162743.tif 000009
【図８】
2017162743.tif 000010
【図９】
2017162743.tif 000011
【図１０】
2017162743.tif 000012